(57)【要約】【課題】封止部材を充填口に円滑に取り付けることができる現像剤カートリッジを提供すること。【解決手段】  内部にトナーを収容する現像カートリッジ１において、トナー充填口４０の近傍に、トナーキャップ４７をトナー充填口４０の縁に載置した状態で、トナーキャップ４７の係止部１０１の挿通穴１０１Ａに挿通されるようなガイドボス４９を設ける。そして、係止部１０１の挿通穴１０１Ａにガイドボス４９が挿通され、トナー充填口４０に対するトナーキャップ４７の回転方向位置が決まった状態で、トナーキャップ４７をトナー充填口４０に嵌める。【選択図】図９
2015129813.tif 000002
【特許請求の範囲】
【請求項１】
第１方向に貫通し、現像剤の通過を許容するように構成される充填口と、前記充填口と隣り合い前記第１方向に沿って突出する突出部と、を有する筐体と、
前記第１方向に延び前記充填口に嵌る嵌合部と、前記第１方向と直交する方向に延び前記突出部と係合する係合部とを有し、前記充填口を封止する封止部材と、を備え、
前記突出部のうち前記係合部が係合する部分から前記突出部の先端までの距離である第１距離は、前記嵌合部のうち前記第１方向から見て前記充填口の縁と重なる部分の第１方向の距離である第２距離よりも長いことを特徴とする、現像剤カートリッジ。
【請求項２】
外部からの駆動力を受けて前記第１方向に沿う回転軸線について回転するように構成される回転体を有し、
前記封止部材は、前記回転体を支持することを特徴とする、請求項１に記載の現像剤カートリッジ。
【請求項３】
前記回転体は、外部の検知装置に検知されるように構成される被検知体であることを特徴とする、請求項２に記載の現像剤カートリッジ。
【請求項４】
前記封止部材は、前記回転体の回転方向に向かうにつれて前記第１方向外方へ傾斜する傾斜部を有し、
前記回転体は、前記回転方向へ回転するにつれて、前記傾斜部の傾斜に沿って、前記第１方向外方へ進出するように構成されることを特徴とする、請求項２または３に記載の現像剤カートリッジ。
【請求項５】
前記筐体内の現像剤を撹拌するように構成される撹拌部材と、
前記撹拌部材の端部に固定され、前記撹拌部材を回転するように構成される撹拌ギアと、を備え、
前記回転体は、外部からの駆動力を受けて所定の時間回転した後に停止するように構成され、
前記封止部材は、前記所定の時間回転した前記回転体のそれ以上の移動を規制するように構成される規制部を有し、
前記規制部は、前記撹拌ギアの回転軌跡に沿うように、前記撹拌ギアに対して隣接配置されることを特徴とする、請求項２〜４のいずれか一項に記載の現像剤カートリッジ。
【請求項６】
前記回転体の少なくとも一部を被覆する被覆部材をさらに備え、
前記係合部は、前記被覆部材から露出されることを特徴とする、請求項２〜５のいずれか一項に記載の現像剤カートリッジ。
【請求項７】
前記回転体は、外部からの駆動力を受ける前の状態で、前記駆動力を受けることができる第１位置と、前記駆動力を受けることができない第２位置とに移動可能であり、
前記被覆部材は、前記第２位置に位置する前記回転体を位置固定するように構成される固定部を有することを特徴とする、請求項６に記載の現像剤カートリッジ。
【請求項８】
前記係合部は、前記係合部を前記第１方向に貫通する貫通穴を有し、
前記突出部は、前記貫通穴に挿通されるように構成されることを特徴とする、請求項１〜７のいずれか一項に記載の現像剤カートリッジ。
【請求項９】
前記筐体は、前記充填口の縁から前記第１方向に突出する筒部を有し、
前記嵌合部の前記第１方向の寸法は、前記筒部の前記第１方向端縁から前記筐体の内面までの前記第１方向の距離の１．５〜３倍であることを特徴とする請求項１〜８のいずれか一項に記載の現像剤カートリッジ。
【請求項１０】
前記第１距離は、前記係合部の前記筐体と対向する面から前記突出部の先端までの距離であることを特徴とする請求項１〜９のいずれか一項に記載の現像剤カートリッジ。
【請求項１１】
現像剤の通過を許容するように構成される充填口を有し、内部に現像剤を収容するように構成される筐体と、
前記充填口に対して装着方向へ装着されることで前記充填口を封止する封止部材と、備え、
前記封止部材は、前記装着方向と直交する方向に延びる係合部を有し、
前記筐体は、前記装着方向に沿って突出する突出部であって、前記係合部を前記装着方向に沿ってガイドするように構成される突出部を有することを特徴とする現像剤カートリッジ。
【発明の詳細な説明】
【技術分野】
【０００１】
本発明は、電子写真方式が採用される画像形成装置に装着される現像剤カートリッジに関する。
【背景技術】
【０００２】
画像形成装置に装着される現像剤カートリッジとして、例えば、内部にトナーを充填するためのトナー充填口を有する筐体と、トナー充填口を密閉するキャップとを備える現像カートリッジが知られている（例えば、下記特許文献１参照。）。
【先行技術文献】
【特許文献】
【０００３】
【特許文献１】特開２０１２−５３０９５号公報
【発明の概要】
【発明が解決しようとする課題】
【０００４】
上記した特許文献１に記載の現像カートリッジでは、キャップがトナー充填口に取り付けられた状態において、キャップの摘み部が筐体の鍔部に当接されることにより、回転方向において位置決めされている。
【０００５】
しかし、このような現像カートリッジでは、作業者がキャップをトナー充填口に取り付けるときには、摘み部と鍔部とが当接していない場合がある。
【０００６】
摘み部と鍔部とが当接していないと、トナー充填口に対するキャップの回転方向位置が決まらず、作業者は、トナー充填口に対するキャップの回転方向位置を決めながら、キャップをトナー充填口内に嵌め込む必要があり、キャップをトナー充填口に取り付ける作業が煩雑になるおそれがある。
【０００７】
そこで、本発明の目的は、封止部材を充填口に円滑に取り付けることができる現像剤カートリッジを提供することにある。
【課題を解決するための手段】
【０００８】
（１）上記した目的を達成するため、本発明の現像剤カートリッジは、筐体と、封止部材とを備える。
【０００９】
筐体は、第１方向に貫通し、現像剤の通過を許容するように構成される充填口と、充填口と隣り合い第１方向に沿って突出する突出部とを有する。
【００１０】
封止部材は、第１方向に延び充填口に嵌る嵌合部と、第１方向と直交する方向に延び突出部と係合する係合部とを有し、充填口を封止する。
【００１１】
突出部のうち係合部が係合する部分から突出部の先端までの距離である第１距離は、嵌合部のうち第１方向から見て充填口の縁よりも内側に位置する部分の第１方向の距離である第２距離よりも長い。
【００１２】
このような構成によれば、作業者は、封止部材を充填口にとりつけるときには、まず、嵌合部の第１方向の端部を充填口の縁に配置する。
【００１３】
このとき、嵌合部のうち、封止部材が充填口に取り付けられた状態で第１方向から見て充填口の縁よりも内側に位置する部分は、充填口よりも第１方向外方に位置している。
【００１４】
ここで、突出部のうち係合部が係合する部分から突出部の先端までの距離である第１距離は、嵌合部のうち第１方向から見て充填口の縁よりも内側に位置する部分の第１方向の距離である第２距離よりも長い。
【００１５】
そのため、作業者は、嵌合部の第１方向の端部を充填口の縁に配置したときに、係合部を突出部の先端に係合させることができる。
【００１６】
これにより、作業者は、嵌合部の第１方向の端部を充填口の縁に配置したときに、充填口に対する封止部材の回転方向位置を決めることができる。
【００１７】
その後、作業者は、充填口に対する封止部材の回転方向位置が決まった状態で、嵌合部を充填口内に挿入することができる。
【００１８】
その結果、作業者は、封止部材を充填口に円滑に取り付けることができる。
（２）本発明の現像剤カートリッジは、外部からの駆動力を受けて第１方向に沿う回転軸線について回転するように構成される回転体を有してもよい。封止部材は、回転体を支持してもよい。
【００１９】
このような構成によれば、回転体を支持するための部材を別途設けることなく、封止部材を利用して回転体を支持することができる。
【００２０】
その結果、現像剤カートリッジの構成の簡略化を図ることができる。
（３）回転体は、外部の検知装置に検知されるように構成される被検知体であってもよい。
【００２１】
このような構成によれば、被検知体を支持するための部材を別途設けることなく、封止部材を利用して被検知体を支持することができる。
（４）封止部材は、回転体の回転方向に向かうにつれて第１方向外方へ傾斜する傾斜部を有してもよい。回転体は、回転方向へ回転するにつれて、傾斜部の傾斜に沿って、第１方向外方へ進出するように構成されてもよい。
【００２２】
このような構成によれば、回転体を、回転させながら第１方向外方へ進出させることができる。
【００２３】
そのため、回転体が回転したときに、第１方向外方から回転体に容易にアクセスすることができる。
（５）本発明の現像剤カートリッジは、筐体内の現像剤を撹拌するように構成される撹拌部材と、撹拌部材の端部に固定され、撹拌部材を回転するように構成される撹拌ギアとを備えてもよい。回転体は、外部からの駆動力を受けて所定の時間回転した後に停止するように構成されてもよい。封止部材は、所定の時間回転した回転体のそれ以上の移動を規制するように構成される規制部を有してもよい。規制部は、撹拌ギアの回転軌跡に沿うように、撹拌ギアに対して隣接配置されてもよい。
【００２４】
このような構成によれば、所定時間回転した後の回転体の所望しない回転を、規制部で確実に規制できる。
【００２５】
また、規制部を、撹拌ギアの回転軌跡に沿うように、撹拌ギアの周囲に効率的に配置できる。
【００２６】
そのため、回転体の所望しない回転を確実に規制できながら、現像剤カートリッジの小型化を図ることができる。
（６）本発明の現像剤カートリッジは、回転体の少なくとも一部を被覆する被覆部材をさらに備えてもよい。係合部は、被覆部材から露出されてもよい。
【００２７】
このような構成によれば、回転体の少なくとも一部を確実に被覆することができながら、突出部に対する係合部の係合を、容易に確認することができる。
（７）回転体は、外部からの駆動力を受ける前の状態で、駆動力を受けることができる第１位置と、駆動力を受けることができない第２位置とに移動可能であってもよい。被覆部材は、第２位置に位置する回転体を位置固定するように構成される固定部を有してもよい。
【００２８】
このような構成によれば、回転体が外部からの駆動力を受ける前において、被覆部材を利用して、回転体を、駆動力を受けることができない第２位置に位置固定することができる。
【００２９】
そのため、回転体を第２位置に位置させて駆動力を現像剤カートリッジに入力すれば、回転体を回転させることなく、現像剤カートリッジの駆動検査を実施することができる。
（８）係合部は、係合部を第１方向に貫通する貫通穴を有してもよい。突出部は、貫通穴に挿通されるように構成されてもよい。
【００３０】
このような構成によれば、簡易な構成で、係合部を突出部に係合させることができる。
（９）筐体は、充填口の縁から第１方向に突出する筒部を有してもよい。嵌合部の第１方向の寸法は、筒部の第１方向端縁から筐体の内面までの第１方向の距離の１．５〜３倍であってもよい。
【００３１】
このような構成によれば、筒部の第１方向端縁から筐体の内面までの第１方向の距離に対して、嵌合部は、１．５〜３倍の第１方向の寸法を有している。
【００３２】
そのため、嵌合部を、充填口に対して安定かつ確実に嵌めることができる。
（１０）第１距離は、係合部の筐体と対向する面から突出部の先端までの距離であってもよい。
【００３３】
このような構成によれば、作業者は、嵌合部の第１方向の端部を充填口の縁に配置したときに、係合部を突出部の先端に確実に係合させることができる。
（１１）本発明の現像剤カートリッジは、筐体と、封止部材とを備える。
【００３４】
筐体は、現像剤の通過を許容するように構成される充填口を有し、内部に現像剤を収容するように構成される。
【００３５】
封止部材は、充填口に対して装着方向へ装着されることで充填口を封止する。
【００３６】
また、封止部材は、装着方向と直交する方向に延びる係合部を有する。
【００３７】
筐体は、装着方向に沿って突出する突出部であって、係合部を装着方向に沿ってガイドするように構成される突出部を有する。
【００３８】
このような構成によれば、作業者は、封止部材を充填口にとりつけるときに、突出部で係合部をガイドしながら、嵌合部を充填口内に挿入することができる。
【００３９】
その結果、作業者は、封止部材を充填口に円滑に取り付けることができる。
【発明の効果】
【００４０】
本発明の現像剤カートリッジによれば、封止部材を充填口に円滑に取り付けることができる。
【図面の簡単な説明】
【００４１】
【図１】図１は、本発明の現像剤カートリッジの一実施形態としての現像カートリッジを示す中央断面図である。
【図２】図２は、図１に示す現像カートリッジが装着されるプリンタの中央断面図である。
【図３】図３は、図１に示す現像カートリッジの左下方から見た斜視図である。
【図４】図４は、図１に示す現像カートリッジの左前方から見た斜視図である。
【図５】図５Ａは、図３に示す現像カートリッジの左側面図である。図５Ｂは、図５Ａに示す現像カートリッジのギアカバーを外した状態を示す。
【図６】図６は、図３に示す現像カートリッジの左下方から見た分解斜視図である。
【図７】図７は、図６に示すトナーキャップを外した状態の左下方から見た分解斜視図である。
【図８】図８は、図５ＡのＡ−Ａ断面図である。
【図９】図９Ａは、トナー充填口にトナーキャップを嵌める作業を説明する説明図であって、筒部の上にトナーキャップを置いて、係止部の挿通穴にガイドボスを挿通した状態を示す。図９Ｂは、図９Ａに続いてトナー充填口にトナーキャップを嵌める作業を説明する説明図であって、トナー充填口にトナーキャップが嵌まった状態を示す。
【図１０】図１０は、図９ＡのＢ−Ｂ断面図である。
【図１１】図１１は、ジグを説明する説明図である。
【図１２】図１２Ａは、現像カートリッジの駆動検査を説明する説明図であって、ジグで検知ギアを左方へずらした状態を示す。図１２Ｂは、図１２Ａにおいて、ギアカバーを外した状態を示す。
【図１３】図１３は、図１２ＡのＣ−Ｃ断面図である。
【図１４】図１４Ａは、現像カートリッジが装着されたときの画像形成装置のウォームアップ動作を説明する説明図であって、アジテータギアの係合部が検知ギアに当接した状態を示す。図１４Ｂは、図１４Ａに続いて現像カートリッジが装着されたときの画像形成装置のウォームアップ動作を説明する説明図であって、アジテータギアの第２ギア部と検知ギアとが噛み合った状態を示す。
【図１５】図１５Ａは、図１４Ｂに続いて現像カートリッジが装着されたときの画像形成装置のウォームアップ動作を説明する説明図であって、左側面視時計回り方向下流の検知突起がアクチュエータの当接部に当接し、アクチュエータが検知位置に位置した状態を示す。図１５Ｂは、図１５Ａに続いて現像カートリッジが装着されたときの画像形成装置のウォームアップ動作を説明する説明図であって、アジテータギアの第２ギア部と検知ギアとの噛み合いが解除された状態を示す。
【図１６】図１６Ａは、図１４Ａに示すギア列を下方から見た底面図である。図１６Ｂは、図１５Ａに示すギア列を下方から見た底面図である。
【発明を実施するための形態】
【００４２】
１．現像カートリッジの概略
図１に示すように、現像剤カートリッジの一例としての現像カートリッジ１は、現像ローラ２と、供給ローラ３と、層厚規制ブレード４と、トナー収容部５とを備えている。
【００４３】
なお、以下の説明において、現像カートリッジ１の方向に言及するときには、現像カートリッジ１を水平に載置した状態を上下の基準とする。すなわち、図１の紙面上方が上方であり、紙面下方が下方である。また、図１の紙面右方が前方であり、図１の紙面左方が後方である。また、現像カートリッジ１を前方から見たときを左右の基準とする。すなわち、図１の紙面手前が左方であり、紙面奥が右方である。左右方向は、第１方向の一例である。
【００４４】
現像ローラ２は、現像カートリッジ１の後端部に回転可能に支持されている。現像ローラ２は、現像ローラ軸２Ａと、現像ローラ本体２Ｂとを備えている。
【００４５】
現像ローラ軸２Ａは、左右方向に延びる略円柱形状を有している。現像ローラ軸２Ａは、金属からなる。
【００４６】
現像ローラ本体２Ｂは、左右方向に延びる略円筒形状を有している。現像ローラ本体２Ｂは、導電性を有するゴムからなる。現像ローラ本体２Ｂは、現像ローラ軸２Ａの左右両端部を被覆せず、現像ローラ軸２Ａの左右方向略中央を被覆している。
【００４７】
供給ローラ３は、現像ローラ２の前下方に配置されている。供給ローラ３は、現像カートリッジ１に回転可能に支持されている。供給ローラ３は、供給ローラ軸３Ａと、供給ローラ本体３Ｂとを備えている。
【００４８】
供給ローラ軸３Ａは、左右方向に延びる略円柱形状を有している。供給ローラ軸３Ａは、金属からなる。
【００４９】
供給ローラ本体３Ｂは、左右方向に延びる略円筒形状を有している。供給ローラ本体３Ｂは、導電性を有するスポンジからなる。供給ローラ本体３Ｂは、供給ローラ軸３Ａの左右両端部を被覆せず、供給ローラ軸３Ａの左右方向略中央を被覆している。供給ローラ本体３Ｂは、現像ローラ本体２Ｂの前下端部に接触している。
【００５０】
層厚規制ブレード４は、現像ローラ２の前上方に配置されている。層厚規制ブレード４は、現像ローラ２の前端部に接触している。
【００５１】
トナー収容部５は、供給ローラ３および層厚規制ブレード４の前方に配置されている。トナー収容部５は、現像剤の一例としてのトナーを収容するように構成されている。トナー収容部５は、撹拌部材の一例としてのアジテータ６を備えている。
【００５２】
アジテータ６は、トナー収容部５内に回転可能に支持されている。
２．現像カートリッジの使用態様
図２に示すように、現像カートリッジ１は、画像形成装置１１に装着されて使用される。
【００５３】
画像形成装置１１は、電子写真方式のモノクロプリンタである。画像形成装置１１は、外部の一例としての装置本体１２と、プロセスカートリッジ１３と、スキャナユニット１４と、定着ユニット１５とを備えている。
【００５４】
装置本体１２は、略ボックス形状を有している。装置本体１２は、開口部１６と、フロントカバー１７と、給紙トレイ１８と、排紙トレイ１９とを有している。
【００５５】
開口部１６は、装置本体１２の前端部に配置されている。開口部１６は、プロセスカートリッジ１３の通過を許容するように、装置本体１２の内外を前後方向に連通している。
【００５６】
フロントカバー１７は、装置本体１２の前端部に配置されている。フロントカバー１７は、略平板形状を有している。フロントカバー１７は、上下方向に延び、その下端部を支点として装置本体１２の前壁に揺動可能に支持されている。フロントカバー１７は、開口部１６を開放または閉鎖するように構成されている。
【００５７】
給紙トレイ１８は、装置本体１２の底部に配置されている。給紙トレイ１８は、用紙Ｐを収容するように構成されている。
【００５８】
排紙トレイ１９は、装置本体１２の上壁の後半分に配置されている。排紙トレイ１９は、用紙Ｐが載置されるように、装置本体１２の上面から下方へ凹んでいる。
【００５９】
プロセスカートリッジ１３は、装置本体１２の上下方向略中央に収容されている。プロセスカートリッジ１３は、装置本体１２に対して装着または離脱するように構成されている。プロセスカートリッジ１３は、ドラムカートリッジ２０と、現像カートリッジ１とを備えている。
【００６０】
ドラムカートリッジ２０は、感光ドラム２１と、スコロトロン型帯電器２２と、転写ローラ２３とを備えている。
【００６１】
感光ドラム２１は、ドラムカートリッジ２０の後端部に回転可能に支持されている。
【００６２】
スコロトロン型帯電器２２は、感光ドラム２１の後上方において、感光ドラム２１と間隔を隔てて配置されている。
【００６３】
転写ローラ２３は、感光ドラム２１の下方に配置されている。転写ローラ２３は、感光ドラム２１の下端部と接触している。
【００６４】
現像カートリッジ１は、感光ドラム２１の前方において、現像ローラ２が感光ドラム２１の前端部に接触するように、ドラムカートリッジ２０に装着されている。
【００６５】
スキャナユニット１４は、プロセスカートリッジ１３の上方に配置されている。スキャナユニット１４は、感光ドラム２１に向けて画像データに基づくレーザービームを出射するように構成されている。
【００６６】
定着ユニット１５は、プロセスカートリッジ１３の後方に配置されている。定着ユニット１５は、加熱ローラ２４と、加熱ローラ２４の後下端部に圧接される加圧ローラ２５とを備えている。
【００６７】
画像形成装置１１が画像形成動作を開始すると、スコロトロン型帯電器２２は、感光ドラム２１の表面を一様に帯電する。スキャナユニット１４は、感光ドラム２１の表面を露光する。これにより、画像データに基づく静電潜像が、感光ドラム２１の表面に形成される。
【００６８】
また、アジテータ６は、トナー収容部５内のトナーを撹拌して、供給ローラ３に供給する。供給ローラ３は、アジテータ６によって供給されたトナーを現像ローラ２に供給する。このとき、トナーは、現像ローラ２と供給ローラ３との間で正極性に摩擦帯電され、現像ローラ２に担持される。層厚規制ブレード４は、現像ローラ２に担持されたトナーの層厚を一定厚さに規制する。
【００６９】
そして、現像ローラ２に担持されたトナーは、感光ドラム２１表面の静電潜像に供給される。これにより、トナー像が、感光ドラム２１の表面に担持される。
【００７０】
用紙Ｐは、給紙トレイ１８から、各種ローラの回転により、所定のタイミングで１枚ずつ、感光ドラム２１と転写ローラ２３との間に給紙される。感光ドラム２１表面のトナー像は、用紙Ｐが感光ドラム２１と転写ローラ２３との間を通過するときに、用紙Ｐに転写される。
【００７１】
その後、用紙Ｐは、加熱ローラ２４と加圧ローラ２５との間を通過するときに加熱および加圧される。これにより、用紙Ｐ上のトナー像は、用紙Ｐに熱定着される。その後、用紙Ｐは、排紙トレイ１９に排紙される。
３．現像カートリッジの詳細
現像カートリッジ１は、図３および図４に示すように、筐体の一例としての現像フレーム３１と、駆動部３０とを備えている。
（１）現像フレーム
現像フレーム３１は、略ボックス形状を有している。現像フレーム３１は、１対の側壁３５と、下壁３６と、前壁３７と、上壁３８とを備えている。
【００７２】
１対の側壁３５のそれぞれは、現像フレーム３１の左右方向両端部のそれぞれに配置されている。１対の側壁３５のそれぞれは、前後方向および上下方向に延びる側面視略矩形の平板形状を有している。左方の側壁３５は、図７に示すように、アイドルギア支持軸３９と、充填口の一例としてのトナー充填口４０と、筒部４８と、突出部の一例としてのガイドボス４９を有している。
【００７３】
アイドルギア支持軸３９は、左方の側壁３５の前後方向略中央に配置されている。アイドルギア支持軸３９は、左方の側壁３５の左面から左方に延びる略円柱形状を有している。
【００７４】
トナー充填口４０は、左方の側壁３５の前端部に配置されている。トナー充填口４０は、側面視略円形状を有し、左方の側壁３５を左右方向に貫通している。トナー充填口４０は、トナー収容部５内に連通している。
【００７５】
筒部４８は、トナー充填口４０の周縁部から左方へ延びる略円筒形状を有している。筒部４８は、トナー充填口４０と中心軸線を共有している。筒部４８の内径は、トナー充填口４０の内径と同じである。
【００７６】
ガイドボス４９は、トナー充填口４０の後下方に隣り合って配置されている。ガイドボス４９は、左方の側壁３５の左面から左方に延びる略円柱形状を有している。ガイドボス４９の先端、すなわち左端部の径方向外周縁は、面取りされている。
【００７７】
下壁３６は、図３および図４に示すように、前後方向および左右方向に延びる略平板形状を有している。下壁３６の左右両端部は、１対の側壁３５の下端部に連続している。
【００７８】
前壁３７は、上下方向および左右方向に延びる略平板形状を有している。前壁３７の下端部は、下壁３６の前端部に連続している。前壁３７の左右両端部のそれぞれは、１対の側壁３５のそれぞれの前端部に連続している。前壁３７は、把持部５０を備えている。
【００７９】
把持部５０は、前壁３７の左右方向中央に配置されている。把持部５０は、前壁３７の前面から前方へ突出し、下端部および前端部が開放された略角筒形状を有している。
【００８０】
上壁３８は、前後方向および左右方向に延びる略平板形状を有している。上壁３８の前端部は、前壁３７の上端部に連続している。上壁３８の左右両端部のそれぞれは、１対の側壁３５のそれぞれの上端部に連続している。
（２）駆動部
駆動部３０は、現像カートリッジ１の左端部において、現像フレーム３１の左方に配置されている。駆動部３０は、図５Ａおよび図５Ｂに示すように、ギア列３３と、検知ユニット３２と、被覆部材の一例としてのギアカバー３４とを備えている。
（２−１）ギア列
ギア列３３は、図５Ｂおよび図６に示すように、現像カップリング４１と、現像ギア４２と、供給ギア４３と、アイドルギア４４と、撹拌ギアの一例としてのアジテータギア４５とを備えている。
【００８１】
現像カップリング４１は、現像カートリッジ１の後端部に配置されている。現像カップリング４１は、左右方向に延びる略円柱形状を有している。現像カップリング４１は、ギア部５１と、カップリング部５２とを備えている。
【００８２】
ギア部５１は、現像カップリング４１の略右半分に配置されている。ギア部５１は、左右方向に延び、左端部が閉鎖された略円筒形状を有している。ギア部５１は、その全周にわたってギア歯を有している。
【００８３】
カップリング部５２は、ギア部５１の左壁から左方へ延びる略円筒形状を有している。カップリング部５２は、ギア部５１と中心軸線を共有している。カップリング部５２は、１対の当接部５３を有している。
【００８４】
１対の当接部５３のそれぞれは、カップリング部５２の径方向両端部のそれぞれに配置されている。１対の当接部５３のそれぞれは、カップリング部５２の内周面からカップリング部５２の径方向内方へ膨出し、カップリング部５２の周方向に延びる側面視略台形状を有している。
【００８５】
現像ギア４２は、現像カップリング４１の後下方に配置されている。現像ギア４２は、左右方向に厚みを有する略円板形状を有している。現像ギア４２は、その全周にわたってギア歯を有している。現像ギア４２は、現像ローラ軸２Ａの左端部に相対回転不能に支持されている。現像ギア４２は、現像カップリング４１のギア部５１の後下端部に噛み合っている。
【００８６】
供給ギア４３は、現像カップリング４１の下方に配置されている。供給ギア４３は、左右方向に厚みを有する略円板形状を有している。供給ギア４３は、その全周にわたって、ギア歯を有している。供給ギア４３は、供給ローラ軸３Ａの左端部に相対回転不能に支持されている。供給ギア４３は、現像カップリング４１のギア部５１の下端部に噛み合っている。
【００８７】
アイドルギア４４は、現像カップリング４１の前方に配置されている。アイドルギア４４は、現像フレーム３１のアイドルギア支持軸３９に回転可能に支持されている。アイドルギア４４は、大径ギア４４Ａと、小径ギア４４Ｂとを一体に有している。
【００８８】
大径ギア４４Ａは、アイドルギア４４の左端部に配置されている。大径ギア４４Ａは、左右方向に厚みを有する略円板形状を有している。大径ギア４４Ａは、その全周にわたってギア歯を有している。大径ギア４４Ａは、現像カップリング４１のギア部５１の前端部に噛み合っている。
【００８９】
小径ギア４４Ｂは、大径ギア４４Ａの右面から右方に向かって延びる略円柱形状を有している。小径ギア４４Ｂは、大径ギア４４Ａと中心軸線を共有している。小径ギア４４Ｂの外径は、大径ギア４４Ａの外径よりも小さい。小径ギア４４Ｂは、その全周にわたってギア歯を有している。
【００９０】
アジテータギア４５は、アイドルギア４４の前下方に配置されている。アジテータギア４５は、アジテータ６の回転軸６Ａの左端部に相対回転不能に嵌まっている。アジテータギア４５は、第１ギア部４５Ａと、第２ギア部４５Ｂと、当接リブ４５Ｃとを有している。
【００９１】
第１ギア部４５Ａは、アジテータギア４５の右端部に配置されている。第１ギア部４５Ａは、左右方向に厚みを有する略円板形状を有している。第１ギア部４５Ａは、その全周にわたってギア歯を有している。第１ギア部４５Ａは、アイドルギア４４の小径ギア４４Ｂの前端部に噛み合っている。
【００９２】
第２ギア部４５Ｂは、第１ギア部４５Ａの左面から左方へ延びる略円筒形状を有している。第２ギア部４５Ｂは、第１ギア部４５Ａと中心軸線を共有している。第２ギア部４５Ｂの外径は、第１ギア部４５Ａの外径よりも小さい。第２ギア部４５Ｂは、その全周にわたってギア歯を有している。
【００９３】
当接リブ４５Ｃは、第２ギア部４５Ｂの径方向外方において、第１ギア部４５Ａの左面から左方に向かって突出している。当接リブ４５Ｃは、アジテータギア４５の径方向外方へ向うにつれて左側面視反時計方向に傾斜するように延びる略平板形状を有している。
（２−２）検知ユニット
検知ユニット３２は、図６および図７に示すように、封止部材の一例としてのトナーキャップ４７と、回転体および被検知体の一例としての検知ギア４６とを備える。
【００９４】
トナーキャップ４７は、トナー充填口４０を閉鎖するように、トナー充填口４０に嵌まっている。トナーキャップ４７は、閉鎖部９１と、検知ギア支持軸９３と、ガイドリブ９４と、第１ストッパ９９と、規制部の一例としての第２ストッパ１００と、係合部１０１と、嵌合部の一例としての挿入部９２とを有している。
【００９５】
閉鎖部９１は、左右方向に厚みを有する側面視略矩形の平板形状を有している。
【００９６】
検知ギア支持軸９３は、閉鎖部９１の略中央に配置されている。検知ギア支持軸９３は、閉鎖部９１の左面から左方へ延びる略円柱形状を有している。
【００９７】
ガイドリブ９４は、検知ギア支持軸９３の周囲に検知ギア支持軸９３と間隔を隔てて配置されている。ガイドリブ９４は、閉鎖部９１の左面から左方へ延び、後端部が開放された半円筒形状を有している。ガイドリブ９４は、検知ギア支持軸９３と中心軸線を共有している。ガイドリブ９４は、傾斜部の一例としての第１傾斜面９４Ａと、平行面９４Ｂと、第２傾斜面９４Ｃとを有している。
【００９８】
第１傾斜面９４Ａは、ガイドリブ９４の左側面視反時計回り方向上流端部の左面である。第１傾斜面９４Ａは、左側面視反時計回り方向へ向かうにつれて左方へ傾斜している。
【００９９】
平行面９４Ｂは、第１傾斜面９４Ａの左側面視反時計回り方向下流に配置されている。平行面９４Ｂは、第１傾斜面９４Ａに連続して左側面視反時計回り方向に延びている。平行面９４Ｂは、閉鎖部９１の左面からの左右方向距離が一定となるように、閉鎖部９１の左面と平行している。
【０１００】
第２傾斜面９４Ｃは、ガイドリブ９４の左側面視反時計回り方向下流端部の左面である。第２傾斜面９４Ｃは、平行面９４Ｂの左側面視反時計回り方向下流に連続して配置されている。第２傾斜面９４Ｃは、左側面視反時計回り方向へ向かうにつれて右方へ傾斜している。
【０１０１】
第１ストッパ９９は、第１傾斜面９４Ａの後方に間隔を隔てて配置されている。第１ストッパ９９は、閉鎖部９１の左面から左方へ突出し、アジテータギア４５の第１ギア部４５Ａの前下端部の外周に沿って湾曲するように上下方向に延びる略板形状を有している。
【０１０２】
第２ストッパ１００は、第２傾斜面９４Ｃの後方に間隔を隔てて配置されている。第２ストッパ１００は、閉鎖部９１の左面から左方へ突出し、アジテータギア４５の第１ギア部４５Ａの前上端部の外周に沿って湾曲するように上下方向に延びる略板形状を有している。
【０１０３】
係合部１０１は、トナーキャップ４７の後下端部に配置されている。係合部１０１は、閉鎖部９１の後下端部から連続して後下方へ延びる側面視略半円形の板形状を有している。係合部１０１の下端部は、ギアカバー３４の後述する第１カバー６１の下端部から露出している（図３参照）。係合部１０１は、貫通穴の一例としての挿通穴１０１Ａを有している。
【０１０４】
挿通穴１０１Ａは、係合部１０１の側面視略中央に配置されている。挿通穴１０１Ａは、側面視略円形状を有し、係合部１０１を左右方向に貫通している。挿通穴１０１Ａの内径は、現像フレーム３１のガイドボス４９の外径よりもわずかに大きい。
【０１０５】
挿入部９２は、図８に示すように、閉鎖部９１の右面から右方に向かって延びる略円筒形状を有している。挿入部９２の外径は、トナー充填口４０の内径よりもわずかに大きい。挿入部９２は、トナー充填口４０内に挿入されている。挿入部９２は、封止部９２Ａと、係止部９２Ｂとを有している。
【０１０６】
封止部９２Ａは、挿入部９２の左方半分部分であり、トナー充填口４０の径方向内方に配置されている。封止部９２Ａの外径は、トナー充填口４０の内径とほぼ同じである。封止部９２Ａは、複数の封止リブ９２Ｃを有している。
【０１０７】
複数の封止リブ９２Ｃのそれぞれは、封止部９２Ａの外周面から径方向外方へわずかに突出し、周方向すべてにわたって延びる突条である。複数の封止リブ９２Ｃのそれぞれは、左右方向に互いに間隔を隔てて並列配置されている。
【０１０８】
係止部９２Ｂは、挿入部９２の右方半分部分であり、現像フレーム３１の左方の側壁３５の右面３５Ａよりも右方に配置されている。係止部９２Ｂの外径は、トナー充填口４０の内径よりも大きい。係止部９２Ｂの先端（すなわち右端部）の外周面Ｓは、右方へ向かうにつれて径方向内方へ傾斜している。
【０１０９】
係止部９２Ｂの先端の外周面Ｓとトナー充填口４０の内周面を左右方向に延長した仮想線Ｌとの交点Ｃと、係合部１０１の右面１０１Ｂとの左右方向距離Ｄ１は、現像フレーム３１のガイドボス４９の先端縁Ｅ１（すなわち左端縁）と、係合部１０１の右面１０１Ｂとの左右方向距離Ｄ２よりも短い。言い換えると、ガイドボス４９のうち係合部１０１が係合する部分からガイドボス４９の先端縁Ｅ１までの左右方向距離Ｄ２は、挿入部９２のうち左右方向に投影したときに仮想線Ｌと重なる部分の左右方向距離Ｄ１よりも長い。左右方向距離Ｄ１は、第２距離の一例である。左右方向距離Ｄ２は、第１距離の一例である。係止部９２Ｂの右端縁Ｅ２と係合部１０１の右面１０１Ｂとの左右方向距離、すなわち挿入部９２の左右方向寸法Ｄ３は、筒部４８の左端縁４８Ａと左方の側壁３５の右面３５Ａとの左右方向距離Ｄ４に対して、例えば、１．５倍以上であり、例えば３倍以下であり、具体的には、１．９倍である。具体的には、挿入部９２の左右方向寸法Ｄ３は、７．７ｍｍである。また、筒部４８の左端縁４８Ａと左方の側壁３５の右面３５Ａとの左右方向距離Ｄ４は、４ｍｍである。
【０１１０】
検知ギア４６は、図５Ｂおよび図６に示すように、左右方向に延びる略円柱形状を有している。すなわち、検知ギア４６の中心軸線Ａは、左右方向に延びている。検知ギア４６は、トナーキャップ４７の検知ギア支持軸９３に回転可能に支持されている。なお、検知ギア４６は、圧縮ばね１０２（図６参照）により、常には、右方へ付勢されている。検知ギア４６は、支持板９５と、支持筒１０３と、受け部の一例としてのギア部９６と、被検知部の一例としての検知部９７と、スライド部９８と、突起９０とを備えている。
【０１１１】
支持板９５は、検知ギア４６の左右方向中央に配置されている。支持板９５は、左右方向に厚みを有する略円板形状を有している。
【０１１２】
支持筒１０３は、検知ギア４６の径方向略中央に配置されている。支持筒１０３は、左右方向に延びる略円筒形状を有し、支持板９５の径方向略中央を左右方向に貫通している。支持筒１０３は、トナーキャップ４７の検知ギア支持軸９３に、径方向外方から嵌っている。
【０１１３】
ギア部９６は、支持板９５の右面から右方へ延び、その径方向一端部が開放された部分円筒形状を有している。ギア部９６は、歯部９６Ａと、欠け歯部９６Ｂとを有している。
【０１１４】
歯部９６Ａは、ギア部９６の左側面視反時計回り方向下流の半周に配置されている。歯部９６Ａは、ギア歯を有している。
【０１１５】
欠け歯部９６Ｂは、ギア部９６の左側面視反時計回り方向上流の半周において、歯部９６Ａの左側面視反時計回り方向上流に連続して配置されている。欠け歯部９６Ｂは、ギア歯を有していない。
【０１１６】
検知部９７は、支持板９５の周縁部に配置されている。検知部９７は、左右方向に投影したときに、歯部９６Ａの左側面視反時計回り方向上流端部に重なる。検知部９７は、支持板９５の左面から左方へ突出し、支持板９５の周方向に沿って延びる略湾曲板形状を有している。
【０１１７】
スライド部９８は、支持板９５の右面から右方に突出し、支持板９５の径方向に延びる略平板形状を有している。スライド部９８は、欠け歯部９６Ｂの周方向略中央と交差している。スライド部９８の右端部は、ギア部９６の右端部よりも右方へ突出している。スライド部９８の右端部は、トナーキャップ４７の第１傾斜面９４Ａと第１ストッパ９９との間に配置されている。
【０１１８】
突起９０は、支持板９５の周縁部において、検知部９７の左側面視反時計回り方向上流に間隔を隔てて配置されている。突起９０は、支持板９５の左面から左方へ延びる略角柱形状を有している。突起９０の左右方向寸法は、検知部９７の左右方向寸法よりも短い。
（２−３）ギアカバー
ギアカバー３４は、図３および図５Ａに示すように、第１カバー６１と、第２カバー６２とを備えている。
【０１１９】
第１カバー６１は、駆動部３０の後端部に配置されている。第１カバー６１は、左右方向に延び、左端部が閉鎖された略角筒形状を有している。第１カバー６１は、現像カップリング４１、現像ギア４２および供給ギア４３を被覆している。第１カバー６１は、カップリングカラー６３と、現像ローラ軸カラー６４とを備えている。
【０１２０】
カップリングカラー６３は、第１カバー６１の中央に配置されている。カップリングカラー６３は、左右方向に延びる略円筒形状を有している。カップリングカラー６３の内径は、現像カップリング４１のカップリング部５２の外径とほぼ同じである。カップリングカラー６３は、現像カップリング４１のカップリング部５２に嵌まっている。
【０１２１】
現像ローラ軸カラー６４は、カップリングカラー６３の後下方に配置されている。現像ローラ軸カラー６４は、左右方向に延び、左端部が閉鎖された略円筒形状を有している。現像ローラ軸カラー６４は、現像ローラ軸２Ａの左端部に嵌まっている。
【０１２２】
第２カバー６２は、第１カバー６１の前方に配置されている。第２カバー６２は、アイドルギア４４、アジテータギア４５および検知ギア４６を被覆している。被覆部材の一例としての第２カバー６２は、ベース部６０と、収容部６５とを有している。
【０１２３】
ベース部６０は、左右方向に延び、左端部が閉鎖された略角筒形状を有している。
【０１２４】
収容部６５は、図４および図８に示すように、第２カバー６２の前端部に配置されている。収容部６５は、ベース部６０の左面から左方に延び、左端部が閉鎖された略円筒形状を有している。なお、収容部６５の右端部は、ベース部６０の前端部内に連通している。収容部６５は、検知ギア４６の支持板９５および検知部９７を収容している。収容部６５は、露出口６７と、支持ボス６８と、ジグ挿通穴６６と、固定部６９とを有している。
【０１２５】
露出口６７は、収容部６５の左壁の周縁部に沿うように、下端部が開放された側面視略Ｃ字形状を有している。露出口６７は、収容部６５の左壁を左右方向に貫通している。露出口６７は、その内部に検知ギア４６の検知部９７を収容している。
【０１２６】
支持ボス６８は、収容部６５の左壁の径方向中央から右方へ延び、右端部が閉鎖された略円柱形状を有している。支持ボス６８は、検知ギア４６の支持筒１０３内に嵌まるとともに、その右端部においてトナーキャップ４７の検知ギア支持軸９３の左端部に係合している。
【０１２７】
ジグ挿通穴６６は、第２カバー６２の前端部の右端部に配置されている。ジグ挿通穴６６は、正面視略矩形状を有し、第２カバー６２の前壁を前後方向に貫通している。
【０１２８】
固定部６９は、図４および図１３に示すように、収容部６５の下端部において、露出口６７の左側面視反時計回り方向両端部の間に配置されている。固定部６９は、収容部６５の左壁から右方へ延びる略筒形状を有している。
５．装置本体の構成
装置本体１２は、図１４Ａに示すように、光学式センサ８１と、アクチュエータ８２と、制御部８３とを備えている。光学式センサ８１およびアクチュエータ８２は、検知装置を構成する。
【０１２９】
光学式センサ８１は、現像カートリッジ１の左上方に位置するように、装置本体１２内に配置されている。光学式センサ８１は、上下方向に互いに間隔を隔てて向かい合う発光素子および受光素子を有している。発光素子は、常時、受光素子に向かって検出光を発光している。受光素子は、発光素子からの検出光を受光する。光学式センサ８１は、受光素子が検出光を受光したときには、受光信号を発信し、受光素子が検出光を受光しないときには、受光信号を発信しない。光学式センサ８１は、制御部８３に電気的に接続されている。
【０１３０】
アクチュエータ８２は、光学式センサ８１の後下方に配置されている。アクチュエータ８２は、光学式センサ８１の検出光を遮光する非検知位置（図１４Ａ参照）と光学式センサ８１の検出光を遮光しない検知位置（図１５Ａ参照）とに回動可能である。アクチュエータ８２は、図示しない付勢部材により、常には、非検知位置に向かって付勢されている。アクチュエータ８２は、支持部８４と、当接部８５と、遮光部８６とを備えている。
【０１３１】
支持部８４は、アクチュエータ８２の前後方向略中央に配置されている。支持部８４は、略円環形状を有している。支持部８４は、装置本体１２内の軸８７に回転可能に嵌まっている。
【０１３２】
当接部８５は、支持部８４の後下端部から後下方に延びている。当接部８５は、中心角が約９０°の側面視略扇形の平板形状を有している。当接部８５は、その中心角部分において、支持部８４に連続している。
【０１３３】
遮光部８６は、支持部８４の前上端部から前上方に延びている。遮光部８６は、側面視略矩形の平板形状を有している。
【０１３４】
制御部８３は、ＡＳＩＣ（特定用途向け集積回路）を備える回路基板を有し、装置本体１２内に配置されている。
６．現像カートリッジの組み立て
現像カートリッジ１を組み立てるには、作業者は、まず、現像フレーム３１に、現像ローラ２、供給ローラ３、層厚規制ブレード４およびアジテータ６を組み付ける。
【０１３５】
次いで、作業者は、現像フレーム３１の左端部を上方に配置した状態で、トナー充填口４０を介してトナー収容部５内にトナーを充填し、その後、トナー充填口４０をトナーキャップ４７で封止する。すなわち、現像カートリッジの組み立てにおいて、上下方向は、第１方向および装着方向の一例である。
【０１３６】
トナーキャップ４７をトナー充填口４０に嵌めるには、作業者は、まず、図９Ａおよび図１０に示すように、挿入部９２を下方に配置して、筒部４８の上方に配置する。
【０１３７】
このとき、係止部９２Ｂの先端の外周面Ｓと封止部９２Ａの外周面を左右方向に延長した仮想線Ｌとの交点Ｃは、筒部４８の上端部の内周縁に接触する。
【０１３８】
この状態で、作業者は、挿通穴１０１Ａ内にガイドボス４９の先端を挿通するように、係合部１０１をガイドボス４９に係合する。これにより、トナー充填口４０に対するトナーキャップ４７の周方向の位置が決まる。
【０１３９】
次いで、作業者は、トナーキャップ４７を下方へ押圧し、挿入部９２を筒部４８およびトナー充填口４０内に挿入する。このとき、係合部１０１がガイドボス４９にガイドされた状態で、挿入部９２の係止部９２Ｂは、その径方向内方へ弾性変形しながら、トナー充填口４０内に進入する。
【０１４０】
そして、作業者が、トナーキャップ４７の閉鎖部９１の下面が筒部４８の上端縁に接触するまで、トナーキャップ４７を下方へ押し込むと、挿入部９２の係止部９２Ｂが、トナー充填口４０を通過して、側壁３５よりも下方に位置する。
【０１４１】
すると、図８に示すように、挿入部９２の係止部９２Ｂは、径方向外方へ復元する。すると、係止部９２Ｂの径方向外端部は、側壁３５におけるトナー充填口４０の周縁部の内方に向かい合う。
【０１４２】
これにより、図９Ｂに示すように、トナーキャップ４７がトナー充填口４０に嵌め込まれて、トナー充填口４０の封止が完了する。
【０１４３】
その後、作業者は、ギア列３３および検知ギア４６を上記したように組み付けた後、ギアカバー３４を組み付ける。
【０１４４】
これにより、現像カートリッジ１の組み立てが完了する。
７．現像カートリッジの駆動検査
現像カートリッジ１の組み立てが完了すると、作業者は、現像カートリッジ１の駆動検査を実施する。
【０１４５】
現像カートリッジ１の駆動検査を実施するには、作業者は、まず、図１２Ａおよび図１２Ｂに示すように、当接リブ４５Ｃが検知ギア４６の欠け歯部９６Ｂに当接しないように、検知ギア４６をジグ７１で左方へずらす。なお、図５Ｂに示す位置、詳しくは、スライド部９８の右端部がトナーキャップ４７の第１傾斜面９４Ａと第１ストッパ９９との間に配置されている位置が、第１位置の一例である。
【０１４６】
詳しくは、ジグ７１は、図１１に示すように、先端が左方に屈曲した略杆形状を有している。ジグ７１は、把持部７２と、押圧部７３とを備えている。
【０１４７】
把持部７２は、平面視略矩形の平板形状を有している。
【０１４８】
押圧部７３は、把持部７２の先端から左方へ傾斜しながら突出する略杆形状を有している。
【０１４９】
検知ギア４６を左方へずらすには、作業者は、図１２Ａおよび図１２Ｂに示すように、第２カバー６２のジグ挿通穴６６にジグ７１の押圧部７３を挿入し、押圧部７３で、検知ギア４６のギア部９６を左方へ押圧する。
【０１５０】
すると、検知ギア４６は、圧縮ばね１０２の付勢力に抗して、当接リブ４５Ｃが検知ギア４６の欠け歯部９６Ｂの左側面視反時計回り方向上流端部９６Ｃに当接しない位置まで左方へ移動する。
【０１５１】
すると、図１３に示すように、検知ギア４６の突起９０が第２カバー６２の固定部６９内に嵌まり、検知ギア４６の回転方向における位置が固定される。このときの検知ギア４６の位置が、第２位置の一例である。
【０１５２】
次いで、作業者は、検知ギア４６をずらした状態で、現像カップリング４１に駆動力を入力する。
【０１５３】
すると、図５Ｂに示すように、現像カップリング４１が左側面視時計回り方向に回転する。
【０１５４】
すると、現像ギア４２、供給ギア４３およびアイドルギア４４は、左側面視反時計回り方向に回転する。これにより、現像ローラ２および供給ローラ３は、左側面視反時計回り方向に回転する。
【０１５５】
また、アイドルギア４４が回転すると、アジテータギア４５は左側面視時計回り方向に回転する。これにより、アジテータ６は、左側面視時計回り方向に回転する。
【０１５６】
そして、作業者は、現像ローラ２、供給ローラ３およびアジテータ６が回転することを確認した後、ジグ挿通穴６６からジグ７１を外す。
【０１５７】
すると、検知ギア４６は、圧縮ばね１０２の付勢力によって右方へ移動し、第１位置に戻る。
【０１５８】
これにより、現像カートリッジ１の駆動検査が完了する。
８．新品検知動作
現像カートリッジ１は、ドラムカートリッジ２０に装着された状態で、装置本体１２に装着される。
【０１５９】
現像カートリッジ１が装着されたドラムカートリッジ２０、すなわちプロセスカートリッジ１３が装置本体１２に装着され、フロントカバー１７が閉鎖されると、フロントカバー１７の閉動作に連動して、装置本体１２内の図示しない本体カップリングが現像カップリング４１に相対回転不能に嵌まる。
【０１６０】
その後、制御部８３は、画像形成装置１１のウォームアップ動作を開始する。
【０１６１】
すると、装置本体１２から図示しない本体カップリングを介して現像カップリング４１に駆動力が入力され、上記したように、現像ローラ２、供給ローラ３およびアジテータ６が回転する。
【０１６２】
アジテータギア４５が回転すると、図１４Ａに示すように、当接リブ４５Ｃは、アジテータギア４５の回転に伴って、検知ギア４６の欠け歯部９６Ｂの左側面視反時計回り方向上流端部９６Ｃに当接し、欠け歯部９６Ｂの左側面視反時計回り方向上流端部９６Ｃを前下方に向かって押圧する。
【０１６３】
これにより、検知ギア４６は、その中心軸線Ａを回転軸線として左側面視反時計回り方向に回転し、図１４Ｂに示すように、左側面視反時計回り方向下流のギア歯において、アジテータギア４５の第２ギア部４５Ｂの前端部に噛み合う。
【０１６４】
すると、アジテータギア４５から検知ギア４６に駆動力が伝達され、検知ギア４６は、左側面視反時計回り方向に回転する。
【０１６５】
すると、検知ギア４６は、図１６Ａおよび図１６Ｂに示すように、スライド部９８がトナーキャップ４７のガイドリブ９４の第１傾斜面９４Ａを左側面視反時計回り方向にスライドすることにより、圧縮ばね１０２（図６参照）の付勢力に抗して、左方に進出する。そして、検知ギア４６は、スライド部９８が平行面９４Ｂに当接した状態で、最も左方に進出する。
【０１６６】
そして、検知部９７は、検知ギア４６が最も左方に進出した状態で、図１５Ａに示すように、アジテータギア４５の回転に伴って左側面視反時計回り方向に移動し、アクチュエータ８２の当接部８５に対して前方から当接して、当接部８５を後方に向かって押圧する。
【０１６７】
これにより、アクチュエータ８２は、非検知位置から、左側面視時計回りに揺動して、検知位置に移動する。
【０１６８】
すると、遮光部８６は、左側面視時計回りに移動して、光学式センサ８１の発光素子と受光素子との間から退避する。
【０１６９】
すると、光学式センサ８１の受光素子が検知光を受光し、光学式センサ８１は、受光信号を出力する。
【０１７０】
ここで、制御部８３は、ウォームアップ動作を開始した後、所定の時間内に光学式センサ８１からの受光信号を受信したことにより、未使用の現像カートリッジ１が装置本体１２に装着されたと判断する。
【０１７１】
そして、検知ギア４６がさらに回転すると、検知部９７は、当接部８５から離間する。すると、アクチュエータ８２は、検知位置から非検知位置に向かって揺動する。
【０１７２】
これにより、アクチュエータ８２の遮光部８６は、光学式センサ８１の発光素子と受光素子との間に位置する。
【０１７３】
すると、光学式センサ８１の受光素子が検知光を受光せず、光学式センサ８１は、受光信号の出力を停止する。
【０１７４】
そして、検知ギア４６がさらに回転すると、圧縮ばね１０２（図６参照）の付勢力により、検知ギア４６が右方に退避する。このとき、スライド部９８は、トナーキャップ４７のガイドリブ９４の第２傾斜面９４Ｃを左側面視反時計回り方向にスライドして、第２ストッパ１００と第２傾斜面９４Ｃとの間に嵌まる。これにより、検知ギア４６のそれ以上の回転が規制される。
【０１７５】
そして、図１５Ｂに示すように、検知ギア４６のギア部９６と、アジテータギア４５の第２ギア部４５Ｂとの噛合が解除されて、検知ギア４６の回転が停止する。
【０１７６】
その後、所定の時間が経過すると、制御部８３は、ウォームアップ動作を終了する。
【０１７７】
なお、制御部８３は、ウォームアップ動作を開始した後、所定の時間内に光学式センサ８１からの受光信号を受信しなかった場合には、使用済みまたは使用途中の現像カートリッジ１が装置本体１２に装着されたと判断する。
８．作用効果
（１）この現像カートリッジ１によれば、図９Ａおよび図１０に示すように、作業者は、トナーキャップ４７をトナー充填口４０にとりつけるときには、まず、挿入部９２の下端部をトナー充填口４０の縁に配置する。
【０１７８】
このとき、挿入部９２のうち左右方向に投影したときにトナー充填口４０の内周縁に重なる部分は、トナー充填口４０よりも上方に位置している。
【０１７９】
ここで、ガイドボス４９のうち係合部１０１が係合する部分、すなわち、筒部４８の上端縁からガイドボス４９の先端縁Ｅ１までの上下方向の距離Ｄ２は、挿入部９２のうち上下方向に投影したときにトナー充填口４０の内周縁に重なる部分の上下方向の距離Ｄ１よりも長いので、作業者は、挿入部９２の下端部をトナー充填口４０の縁に配置したときに、係合部１０１をガイドボス４９の先端に係合させることができる。
【０１８０】
これにより、作業者は、挿入部９２の下端部をトナー充填口４０の縁に配置したときに、トナー充填口４０に対するトナーキャップ４７の回転方向位置を決めることができる。
【０１８１】
その後、作業者は、トナー充填口４０に対するトナーキャップ４７の回転方向位置が決まった状態で、挿入部９２をトナー充填口４０内に挿入することができる。
【０１８２】
その結果、作業者は、トナーキャップ４７をトナー充填口４０に円滑に取り付けることができる。
（２）この現像カートリッジ１によれば、図８に示すように、トナーキャップ４７は、検知ギア４６を支持している。
【０１８３】
そのため、検知ギア４６を支持するための部材を別途設けることなく、トナーキャップ４７を利用して検知ギア４６を支持することができる。
【０１８４】
その結果、現像カートリッジ１の構成の簡略化を図ることができる。
（３）この現像カートリッジ１によれば、図１６Ａおよび図１６Ｂに示すように、検知ギア４６は、回転方向へ回転するにつれて、トナーキャップ４７のガイドリブ９４の第１傾斜面９４Ａの傾斜に沿って、左方へ進出する。
【０１８５】
そのため、検知ギア４６を、回転させながら左方へ進出させることができる。
【０１８６】
その結果、検知ギア４６が回転したときに、装置本体１２のアクチュエータ８２を検知ギア４６に容易に当接させることができる。
（４）この現像カートリッジ１によれば、図６に示すように、トナーキャップ４７は、ガイドリブ９４の第２傾斜面９４Ｃの後方に配置される第２ストッパ１００を有している。
【０１８７】
そのため、所定時間回転した後の検知ギア４６の所望しない回転を、第２ストッパ１００で確実に規制できる。
【０１８８】
また、第２ストッパ１００は、アジテータギア４５の回転軌跡に沿うように、アジテータギア４５の周囲に効率的に配置されている。
【０１８９】
そのため、検知ギア４６の所望しない回転を確実に規制できながら、現像カートリッジ１の小型化を図ることができる。
（５）この現像カートリッジ１によれば、図３に示すように、係合部１０１の下端部は、第２カバー６２の下端部から露出されている。
【０１９０】
そのため、検知ギア４６を確実に被覆することができながら、ガイドボス４９に対する係合部１０１の係合を、容易に確認することができる。
（６）この現像カートリッジ１によれば、図１２Ｂおよび図１３に示すように、検知ギア４６が装置本体１２からの駆動力を受ける前において、第２カバー６２を利用して、検知ギア４６を、駆動力を受けることができない第２位置に位置固定することができる。
【０１９１】
そのため、検知ギア４６が装置本体１２からの駆動力を受ける前に、検知ギア４６を第２位置に位置させて装置本体１２からの駆動力を現像カートリッジ１に入力し、検知ギア４６を回転させることなく、現像カートリッジ１の駆動検査を実施することができる。
（７）この現像カートリッジ１によれば、図９Ａに示すように、ガイドボス４９は、係合部１０１の挿通穴１０１Ａに挿通される。
【０１９２】
そのため、簡易な構成で、係合部１０１をガイドボス４９に係合させることができる。
（８）この現像カートリッジ１によれば、図８に示すように、挿入部９２の左右方向寸法Ｄ３は、筒部４８の左端縁から左方の側壁３５の右面までの左右方向距離Ｄ４の２倍である。
【０１９３】
そのため、挿入部９２を、トナー充填口４０に対して安定かつ確実に嵌めることができる。
（９）この現像カートリッジ１によれば、図９Ａおよび図９Ｂに示すように、作業者は、トナーキャップ４７をトナー充填口４０にとりつけるときに、ガイドボス４９で係合部１０１をガイドしながら、挿入部９２をトナー充填口４０内に挿入することができる。
【０１９４】
その結果、作業者は、トナーキャップ４７をトナー充填口４０に円滑に取り付けることができる。
９．変形例
（１）上記した実施形態では、現像剤カートリッジの一例として、現像ローラ２および供給ローラ３を備える現像カートリッジ１を挙げたが、現像剤カートリッジとしては、例えば、現像ローラ２および供給ローラ３を備えないトナーカートリッジを挙げることもできる。また、現像剤カートリッジとしては、例えば、現像ローラ２および供給ローラ３を備える現像ユニットと、感光ドラム２１を備えるドラムユニットとを一体的に備えるプロセスカートリッジを挙げることもできる。
（２）上記した実施形態では、係合部１０１を厚みを有する板状に形成しているが、係合部１０１は、たとえば、薄いフィルム状に形成することもできる。
（３）上記した実施形態では、検知ギア４６は、ギヤ歯を有する歯部９６Ａを有しているが、ギア歯に代えて、たとえば、ベルト状のゴムなどからなる摩擦部材を設け、摩擦部材の摩擦により、駆動力を受けることもできる。
（４）上記した実施形態では、ガイドボス４９が左方の側壁３５に一体的に設けられているが、ガイドボス４９は、左方の側壁３５とは別の部材として構成され、左方の側壁３５に固定されていてもよい。
（５）上記した実施形態では、検知部９７を検知ギア４６の回転方向に延びる湾曲板形状に構成しているが、検知部９７は、左右方向に延びる柱状のボスとして構成することもできる。
（６）上記した実施形態において、現像ローラ２の代わりに、現像スリーブやブラシローラを適用することもできる。
（７）上記した実施形態では、ギアカバー３４は、第１カバー６１と第２カバー６２とを別々に有しているが、ギアカバー３４は、第１カバー６１と第２カバー６２とを一体的に有してもよい。
（８）上記した実施形態では、係合部１０１は、ガイドボス４９が挿通される円形状の貫通穴１０１Ａを有しているが、係合部１０１は、ガイドボス４９の周面に沿うような略半円形状の凹部を有してもよい。この場合、ガイドボス４９は、凹部内に嵌まる。
【符号の説明】
【０１９５】
１        現像カートリッジ
６        アジテータ
４０      トナー充填口
４５      アジテータギア
４６      検知ギア
４７      トナーキャップ
４８      筒部
４８Ａ    左端縁
４９      ガイドボス
６２      第２カバー
６９      固定部
８１      光学式センサ
８２      アクチュエータ
９２      挿入部
９４Ａ    第１傾斜面
１００    第２ストッパ
１０１    係合部
１０１Ａ  挿通穴
Ａ        中心軸線
Ｄ１      距離
Ｄ２      距離
Ｄ３      左右方向寸法
Ｄ４      左右方向距離
Ｅ１      先端縁
Ｅ２      右端縁
【図１】
2015129813.tif 000003
【図２】
2015129813.tif 000004
【図３】
2015129813.tif 000005
【図４】
2015129813.tif 000006
【図５】
2015129813.tif 000007
【図６】
2015129813.tif 000008
【図７】
2015129813.tif 000009
【図８】
2015129813.tif 000010
【図９】
2015129813.tif 000011
【図１０】
2015129813.tif 000012
【図１１】
2015129813.tif 000013
【図１２】
2015129813.tif 000014
【図１３】
2015129813.tif 000015
【図１４】
2015129813.tif 000016
【図１５】
2015129813.tif 000017
【図１６】
2015129813.tif 000018